(57)【要約】【課題】外部装置にも第１電圧を供給する電子制御装置において、昇圧回路を用いることなく、一時的な電圧低下によるマイコンのリセットを抑制すること。【解決手段】電子制御装置１０は、第１電圧が供給され、外部装置５２の出力に基づいて所定処理を行うマイコン１４、マイコンに第１電圧を供給する第１接続線１６、第１接続線とグランドとの間に設けられたコンデンサ１８、第１電圧が基準値以下になるとマイコンをリセットするリセット回路２０、外部電源５０から供給される第２電圧を検出する電圧検出回路２２、外部装置に第１電圧を供給する第２接続線２４、第２接続線に設けられ、第２電圧が所定値以下となる期間の少なくとも一部において外部装置への第１電圧の供給を遮断する開状態とされ、開状態を除く期間において閉状態とされるスイッチ２６を備える。マイコンは、開状態の期間において、所定処理の実行を停止する。【選択図】図１
2015201761.tif 000002
【特許請求の範囲】
【請求項１】
外部装置（５２）に対して第１電圧を供給する電子制御装置であって、
前記第１電圧が供給されて動作するとともに、前記外部装置の出力信号に基づいて所定処理を実行するマイコン（１４）と、
前記マイコンに前記第１電圧を供給するための第１接続線（１６）と、
前記第１電圧の安定化のために、前記第１接続線とグランドとの間に設けられたコンデンサ（１８）と、
前記マイコンに供給される前記第１電圧が基準値以下になった場合に、前記マイコンをリセットするリセット回路（２０）と、
外部電源（５０）から前記第１電圧のために供給される第２電圧を検出する電圧検出回路（２２）と、
前記外部装置に前記第１電圧を供給するための第２接続線（２４）と、
前記第２接続線に設けられ、前記第２電圧が所定値以下となる期間の少なくとも一部において前記外部装置への前記第１電圧の供給を遮断する開状態とされ、前記開状態を除く期間において前記外部装置へ前記第１電圧を供給する閉状態とされるスイッチ（２６）と、
を備え、
前記マイコンは、前記開状態の期間において、前記外部装置の出力信号に基づく所定処理を停止し、前記閉状態の期間において、前記外部装置の出力信号に基づく所定処理を実行することを特徴とする電子制御装置。
【請求項２】
前記外部電源の前記第２電圧を降圧して前記第１電圧とする内部電源（１２）をさらに備え、
前記スイッチは、前記開状態において、前記外部装置への出力端子（３０）と前記内部電源との接続を遮断し、前記閉状態において、前記出力端子と前記内部電源とを連通させることを特徴とする請求項１に記載の電子制御装置。
【請求項３】
前記電圧検出回路は、前記第２電圧が所定値以下になったことを示す検出信号（Ｓ１）を出力し、
前記スイッチは、前記検出信号によって制御されることを特徴とする請求項１又は請求項２に記載の電子制御装置。
【請求項４】
前記電圧検出回路は、前記第２電圧が所定値以下になったことを示す検出信号を、前記マイコンに出力し、
前記マイコンにより、前記スイッチが制御されることを特徴とする請求項１又は請求項２に記載の電子制御装置。
【発明の詳細な説明】
【技術分野】
【０００１】
本発明は、第１電圧が供給されて動作するとともに、外部装置の出力信号に基づいて所定処理を実行するマイコンと、第１電圧が基準値以下になった場合にマイコンをリセットするリセット回路と、を備える電子制御装置に関する。特に、外部装置にも第１電圧を供給する電子制御装置に関する。
【背景技術】
【０００２】
従来、第１電圧が供給されて動作するとともに、外部装置の出力信号に基づいて所定処理を実行するマイコンと、第１電圧が基準値以下になった場合にマイコンをリセットするリセット回路と、を備える電子制御装置として、特許文献１に記載のものが知られている。この電子制御装置は、第１電圧のために外部電源から供給される第２電圧が所定値以下になったときに昇圧する昇圧回路をさらに備えている。
【０００３】
図７は、特許文献１に記載されるような、マイコン、リセット回路、及び昇圧回路を備えつつ、外部装置にも第１電圧を供給する電子制御装置を示している。図７において、後述する実施形態の関連する要素の符号に対し、１００を加算している。
【０００４】
図７では、電子制御装置１１０が、車両のエンジン制御装置（エンジンＥＣＵ）として構成されており、外部装置１５２としてのセンサからの信号Ｓ３に基づいて、マイコン１１４が所定処理を実行する。
【０００５】
電子制御装置１１０は、外部電源であるバッテリ１５０から供給されるバッテリ電圧ＶＢ（第２電圧）を内部電圧ＶＩＮ（第１電圧）に降圧する内部電源としての電源回路１１２を備えている。マイコン１１４は、第１接続線１１６を介して、電源回路１１２から内部電圧ＶＩＮの供給を受け、動作する。第１接続線１１６とグランドとの間には、内部電圧ＶＩＮの安定化のために、コンデンサ１１８が配置されている。
【０００６】
加えて、電子制御装置１１０は、リセット回路１２０と、電圧検出回路１２２と、第２接続線１２４と、昇圧回路１４０と、を備えている。リセット回路１２０は、マイコン１１４に供給される内部電圧ＶＩＮが基準値以下になった場合に、マイコン１１４をリセットする。電圧検出回路１２２は、バッテリ電圧ＶＢを検出し、所定値以下になったことを示す電圧信号Ｓ１を出力する。外部装置１５２は、第２接続線１２４を介して、電源回路１１２から内部電圧ＶＩＮが供給される。昇圧回路１４０は、バッテリ電圧ＶＢが所定値以下になったときに、内部電圧ＶＩＮを昇圧する。
【０００７】
なお、図７に示す符号１２８は、バッテリ１５０から電力が入力される電源端子、符号１３０は、外部装置１５２の出力信号Ｓ３を入力する入力端子、符号１３２は、外部装置１５２に内部電圧ＶＩＮを出力する出力端子を示している。出力電圧ＶＯＵＴは、出力端子１３２を介して電子制御装置１１０から外部装置１５２に出力された電圧を示しており、すなわち内部電圧ＶＩＮにほぼ一致する。
【先行技術文献】
【特許文献】
【０００８】
【特許文献１】特開平３−２９４６６０号公報
【発明の概要】
【発明が解決しようとする課題】
【０００９】
図７に示す電子制御装置１１０によれば、内部電圧ＶＩＮをマイコン１１４だけでなく、外部装置１５２にも供給することができる。
【００１０】
ところで、エンジン始動時のスタータ作動などにより、バッテリ電圧ＶＢが一時的に低下すると、リセット回路により、マイコンがリセットされる虞がある。特に、内部電圧を外部装置にも供給する構成では、外部装置の消費電流の分、コンデンサの放電時間が早まり、内部電圧ＶＩＮが低下して、マイコンがリセットされやすくなる。これに対し、図７に示す電子制御装置１１０によれば、昇圧回路１４０を備えることで、一時的な電圧低下によるマイコンのリセットを抑制することができる。
【００１１】
図８に示すように、バッテリ電圧ＶＢが一時的に低下し、低電圧検出レベルを下回ると、電圧検出回路１２２から出力される電圧信号Ｓ１は、たとえば、ローレベルからハイレベルに切り替わる。すると、電圧信号Ｓ１を受けて、昇圧回路１４０は、内部電圧ＶＩＮを昇圧し、これにより、内部電圧ＶＩＮの低下が抑制される。なお、図８において、二点鎖線が昇圧しない場合の内部電圧ＶＩＮの変化を示している。昇圧により、内部電圧ＶＩＮはリセット検出レベルまで低下しないため、リセット回路１２０から出力されるリセット信号Ｓ２は、バッテリ電圧ＶＢの低下前と変わらず、たとえば、ハイレベルを維持する。これにより、マイコン１１４のリセットが抑制され、一時的にバッテリ電圧ＶＢが低下しても、マイコン１１４は、通常処理を実行することができる。
【００１２】
しかしながら、図７に示すような従来の電子制御装置では、昇圧回路を用いなければならず、大型のコイルやコンデンサ、スイッチが必要となり、電子制御装置の体格の増大やコストの増大を招く。
【００１３】
本発明は上記問題点に鑑み、外部装置にも第１電圧を供給する電子制御装置において、昇圧回路を用いることなく、一時的な電圧低下によるマイコンのリセットを抑制することを目的とする。
【課題を解決するための手段】
【００１４】
ここに開示される発明は、上記目的を達成するために以下の技術的手段を採用する。なお、特許請求の範囲及びこの項に記載した括弧内の符号は、ひとつの態様として後述する実施形態に記載の具体的手段との対応関係を示すものであって、発明の技術的範囲を限定するものではない。
【００１５】
開示された発明のひとつは、外部装置（５２）に対して第１電圧を供給する電子制御装置であって、
第１電圧が供給されて動作するとともに、外部装置の出力信号に基づいて所定処理を実行するマイコン（１４）と、
マイコンに第１電圧を供給するための第１接続線（１６）と、
第１電圧の安定化のために、第１接続線とグランドとの間に設けられたコンデンサ（１８）と、
マイコンに供給される第１電圧が基準値以下になった場合に、マイコンをリセットするリセット回路（２０）と、
外部電源（５０）から第１電圧のために供給される第２電圧を検出する電圧検出回路（２２）と、
外部装置に第１電圧を供給するための第２接続線（２４）と、
第２接続線に設けられ、第２電圧が所定値以下となる期間の少なくとも一部において外部装置への第１電圧の供給を遮断する開状態とされ、開状態を除く期間において外部装置へ第１電圧を供給する閉状態とされるスイッチ（２６）と、
を備え、
マイコンは、開状態の期間において、外部装置の出力信号に基づく所定処理を停止し、閉状態の期間において、外部装置の出力信号に基づく所定処理を実行することを特徴とする。
【００１６】
これによれば、第２電圧が低下する期間において、スイッチを開状態とし、外部装置への第１電圧の供給を遮断して外部装置の消費電流を抑え、その分、コンデンサからの放電電流を低減することができる。したがって、昇圧回路を用いなくとも、一時的に第２電圧が低下する場合において、マイコンがリセットされるのを抑制することができる。また、マイコンがリセットされる構成に較べて、マイコンが所定処理を実行する期間を長くとることができる。
【００１７】
開示された他の発明のひとつは、
外部電源の第２電圧を降圧して第１電圧とする内部電源（１２）をさらに備え、
スイッチは、開状態において、外部装置への出力端子（３０）と内部電源とを遮断し、閉状態において、出力端子と内部電源とを連通させることを特徴とする。
【００１８】
これによれば、外部電源から電子制御装置に第２電圧が供給され、この第２電圧を内部電源が降圧して第１電圧とする構成において、昇圧回路を用いなくとも、一時的に第２電圧が低下する場合にマイコンがリセットされるのを抑制することができる。
【図面の簡単な説明】
【００１９】
【図１】第１実施形態に係る電子制御装置の概略構成を示す図である。
【図２】図１に示す電子制御装置において、各信号の動作波形の一例を示すタイミングチャートである。
【図３】マイコンの処理を示すフローチャートである。
【図４】第２実施形態に係る電子制御装置の概略構成を示す図である。
【図５】図４に示す電子制御装置において、各信号の動作波形の一例を示すタイミングチャートである。
【図６】第３実施形態に係る電子制御装置の概略構成を示す図である。
【図７】従来の電子制御装置の概略構成を示す図である。
【図８】図７に示す電子制御装置において、各信号の動作波形の一例を示すタイミングチャートである。
【発明を実施するための形態】
【００２０】
以下、本発明の実施形態を図に基づいて説明する。なお、各実施形態において、共通乃至関連する要素には同一の符号を付与するものとする。
【００２１】
（第１実施形態）
先ず、図１を用いて、本実施形態に係る電子制御装置の概略構成を説明する。
【００２２】
図１に示す電子制御装置１０は、車両のエンジン制御装置（エンジンＥＣＵ）として構成されている。この電子制御装置１０は、電源回路１２と、マイコン１４と、第１接続線１６と、コンデンサ１８と、リセット回路２０と、電圧検出回路２２と、第２接続線２４と、を備えている。加えて、この電子制御装置１０は、スイッチ２６を備えている。
【００２３】
電子制御装置１０には、外部電源としてのバッテリ５０（直流電源）から、バッテリ電圧ＶＢの電力が供給される。バッテリ電圧ＶＢは、電源端子２８を介して、電子制御装置１０に入力される。このバッテリ電圧ＶＢが、特許請求の範囲に記載の第２電圧に相当する。
【００２４】
電源回路１２は、特許請求の範囲に記載の内部電源に相当し、バッテリ電圧ＶＢを降圧して、マイコン１４や外部装置５２に供給するための内部電圧ＶＩＮを生成する。この内部電圧ＶＩＮが、特許請求の範囲に記載の第１電圧に相当する。
【００２５】
マイコン１４は、ＣＰＵ、ＲＯＭ、ＲＡＭ、ＡＤＣ（ＡＤコンバータ）などを備えて構成されており、電源として内部電圧ＶＩＮの供給を受けて動作する。また、マイコン１４のＡＤＣ端子には、入力端子３０を介して、外部装置５２の出力信号Ｓ３が入力される。そして、マイコン１４のＣＰＵは、出力信号Ｓ３などの入力信号や、たとえばＲＯＭに記憶されたプログラムに基づいて、ＲＡＭ及びレジスタを一時的に記憶領域として用いつつ、エンジンを制御するための所定処理（通常処理）を実行する。
【００２６】
第１接続線１６は、電源回路１２からマイコン１４に対して内部電圧ＶＩＮを供給するための接続線である。本実施形態では、第１接続線１６の一端が電源回路１２に接続され、他端が、マイコン１４の電源端子に接続されている。
【００２７】
コンデンサ１８は、内部電圧ＶＩＮの安定化のために、第１接続線１６とグランドとの間に設けられている。本実施形態では、第１接続線１６における第２接続線２４との接続点とマイコン１４の電源端子との間に、コンデンサ１８が接続されている。
【００２８】
リセット回路２０は、マイコン１４に供給される内部電圧ＶＩＮが基準値以下になった場合に、マイコン１４をリセットする。したがって、リセット回路２０は、第１接続線１６に接続され、マイコン１４のリセット信号入力端子に対してリセット信号Ｓ２を出力する。本実施形態では、第１接続線１６におけるコンデンサ１８の接続点とマイコン１４の電源端子との間に、リセット回路２０が接続されている。
【００２９】
電圧検出回路２２は、バッテリ５０から供給されるバッテリ電圧ＶＢを検出する。そして、検出したバッテリ電圧ＶＢと、予め設定された所定値（低電圧検出レベル）とを比較して、その比較結果を電圧信号Ｓ１として出力する。この電圧信号Ｓ１は、マイコン１４の電圧信号入力端子に入力される。また、後述するように、スイッチ２６にも入力される。電圧信号Ｓ１は、特許請求の範囲に記載の検出信号に相当する。
【００３０】
第２接続線２４は、外部装置５２に内部電圧ＶＩＮを供給するための接続線である。本実施形態において、第２接続線２４の一端は第１接続線１６に接続され、他端が出力端子３２に接続されている。なお、出力端子３２から外部装置５２に出力される電圧を、電子制御装置１０から外部装置５２に出力される出力電圧ＶＯＵＴと示す。スイッチ２６が閉状態、すなわち、電源回路１２と出力端子３２とが連通されている場合には、出力電圧ＶＯＵＴは内部電圧ＶＩＮにほぼ一致する。換言すれば、内部電圧ＶＩＮを出力電圧ＶＯＵＴとして出力する。本実施形態では、出力電圧ＶＯＵＴが、外部装置５２の動作電源となっている。
【００３１】
スイッチ２６は、第２接続線２４に設けられ、バッテリ電圧ＶＢが所定値以下となる期間の少なくとも一部において開状態とされ、外部装置５２への内部電圧ＶＩＮの供給を遮断する。一方、開状態を除く期間において外部装置５２へ内部電圧ＶＩＮを供給する閉状態とされる。詳しくは、開状態において、出力端子３２と電源回路１２との連通を遮断し、閉状態において、出力端子３２と電源回路１２とを連通させる。このスイッチ２６としては、たとえば、ＭＯＳＦＥＴを採用することができる。
【００３２】
本実施形態では、このスイッチ２６に対し、電圧検出回路２２から出力される電圧信号Ｓ１が入力され、電圧信号Ｓ１に応じて、スイッチ２６の開閉状態が制御されるようになっている。換言すれば、バッテリ電圧ＶＢに応じて、スイッチ２６の開閉が制御されるようになっている。
【００３３】
次に、図２に示すタイミングチャート及び図３に示すフローチャートに基づき、上記した電子制御装置１０の動作について説明する。
【００３４】
図２に示すように、電子制御装置１０の電源が投入され、バッテリ電圧ＶＢ及び内部電圧ＶＩＮの立ち上がりから所定期間遅れてリセット信号Ｓ２がハイレベルとなると、マイコン１４のリセットが解除され、マイコン１４は通常処理（所定処理）を実行する。
【００３５】
通常処理期間においてバッテリ電圧ＶＢが一時的に低下し、低電圧検出レベルを下回ると、電圧検出回路２２から出力される電圧信号Ｓ１は、たとえば、ローレベルからハイレベルに切り替わる。すると、電圧信号Ｓ１を受けて、スイッチ２６は、閉状態から開状態に切り替わる。本実施形態では、バッテリ電圧ＶＢが低電圧検出レベルを下回る期間（以下、単に低電圧期間と示す）、すなわち、電圧信号Ｓ１がハイレベルとなる期間と、スイッチ２６が開状態となる期間がほぼ一致する。
【００３６】
スイッチ２６が開状態となることで、電源回路１２と出力端子３２との連通が遮断され、出力電圧ＶＯＵＴは「ゼロ」となり、外部装置５２による消費電流がなくなる。このように、外部装置５２による消費が抑制される分、コンデンサ１８からの放電電流が低減され、内部電圧ＶＩＮの低下を遅らせることができる。したがって、一時的なバッテリ電圧ＶＢの低下であれば、内部電圧ＶＩＮは、リセット回路２０がマイコン１４をリセットする基準となるリセット検出レベルまで低下しない。このため、リセット信号Ｓ２は、バッテリ電圧ＶＢの低下前と変わらず、たとえば、ハイレベルを維持する。したがって、バッテリ電圧ＶＢが一時的に低下したときのマイコン１４のリセットを抑制することができる。
【００３７】
ただし、上記したように、低電圧期間において、出力電圧ＶＯＵＴは「ゼロ」となる。すなわち、外部装置５２への出力電圧ＶＯＵＴの供給が停止される。したがって、マイコン１４は、この期間の出力信号Ｓ３に基づく通常処理を停止する。また、マイコン１４は、出力信号Ｓ３により、外部装置５２の異常も検出できるようになっているが、この期間の出力信号Ｓ３に基づく異常検出を停止する。マイコン１４には、電圧検出回路２２から電圧信号Ｓ１が入力されるため、電圧信号Ｓ１として、ハイレベルの信号が入力されている期間、すなわち低電圧期間において、通常処理及び異常検出処理を停止する。
【００３８】
図３に示すように、電子制御装置１０は、電源投入後において、バッテリ電圧ＶＢを検出し、検出したバッテリ電圧ＶＢが低電圧検出レベルよりも低いか否か、すなわちバッテリ電圧ＶＢが定電圧であるか否かを判定する（ステップＳ１０）。ステップＳ１０において、低電圧であると判定した場合、マイコン１４は通常処理を停止し（ステップＳ１２）し、スイッチ２６を開状態にして外部装置５２への内部電圧ＶＩＮの供給を遮断する（ステップＳ１４）。そして、一連の処理を終了する。
【００３９】
一方、ステップＳ１０において、低電圧ではないと判定した場合、スイッチ２６を閉状態にして外部装置５２に内部電圧ＶＩＮを供給し（ステップＳ１６）、マイコン１４が通常処理を実施する（ステップＳ１８）。そして、一連の処理を終了する。電子制御装置１０の電源が投入されている期間において、上記した各ステップＳ１０〜Ｓ１８が繰り返し実行される。
【００４０】
次に、本実施形態に係る電子制御装置１０の効果について説明する。
【００４１】
上記したように、本実施形態によれば、バッテリ電圧ＶＢ（第２電圧）が一時的に低下する低電圧期間において、スイッチ２６を開状態とし、外部装置５２への内部電圧ＶＩＮ（第１電圧）の供給を遮断することができる。これにより、外部装置５２の消費電流を抑え、その分、コンデンサ１８からの放電電流を低減して、内部電圧ＶＩＮの低下を遅らせることができる。したがって、昇圧回路を用いなくとも、低電圧期間においてマイコン１４がリセットされるのを抑制することができる。
【００４２】
スイッチを有さない場合、図２に二点鎖線で示すように、内部電圧ＶＩＮがリセット検出レベルを下回り、リセット信号Ｓ２が、マイコン１４をリセットすべくローレベルとなる。リセット信号Ｓ２は、電源投入直後同様、内部電圧ＶＩＮが安定するまでマイコン１４をリセットする。すなわち、電圧信号Ｓ１がローレベルに復帰した後も、所定時間、マイコン１４をリセットする。したがって、マイコン１４が通常処理を行う時間が短くなり、エンジン制御に支障がでる虞がある。これに対し、本実施形態では、上記したように、マイコン１４のリセットが抑制され、電圧信号Ｓ１がハイレベルとなる期間とスイッチ２６が開状態となる期間がほぼ一致する。マイコンがリセットされるよりも短い期間のみ、通常処理を停止すればよいため、マイコンがリセットされる構成に較べて、マイコン１４が通常処理を実行する期間を長くとることができる。
【００４３】
特に本実施形態では、電子制御装置１０が、電源回路１２（内部電源）を備えている。したがって、バッテリ５０から電子制御装置１０にバッテリ電圧ＶＢが供給され、このバッテリ電圧ＶＢを電源回路１２で降圧して内部電圧ＶＩＮとする構成において、昇圧回路を用いなくとも、低電圧期間においてマイコン１４がリセットされるのを抑制することができる。
【００４４】
また、本実施形態では、電圧検出回路２２から出力される電圧信号Ｓ１により、スイッチ２６の開閉が制御されるため、電子制御装置１０の構成を簡素化することができる。また、バッテリ電圧ＶＢの低下に合わせて、スイッチ２６を迅速に開状態（遮断状態）とすることができる。
【００４５】
（第２実施形態）
本実施形態において、上記実施形態に示した電子制御装置１０と共通する部分についての説明は割愛する。
【００４６】
本実施形態では、図４に示すように、電圧信号Ｓ１ではなく、マイコン１４からのＳＷ制御信号Ｓ４によって、スイッチ２６の開閉が制御される。第１実施形態同様、電圧信号Ｓ１が、マイコン１４に入力される。マイコン１４は、電圧信号Ｓ１に基づいて、ＳＷ制御信号Ｓ４を生成し、スイッチ２６に出力する。ＳＷ制御信号Ｓ４は、バッテリ電圧ＶＢが低電圧検出レベル以下となる期間の少なくとも一部において、スイッチ２６が外部装置５２への内部電圧ＶＩＮの供給を遮断するように、生成される。また、マイコン１４も、電圧信号Ｓ１ではなく、ＳＷ制御信号Ｓ４に応じて、通常処理の実施と通常処理及び異常検出処理の停止とを切り替える。
【００４７】
図５は、本実施形態に係る電子制御装置１０による動作の一例を示している。本実施形態では、ローレベルのＳＷ制御信号Ｓ４によりスイッチ２６が閉状態とされ、ハイレベルのＳＷ制御信号Ｓ４によりスイッチ２６が開状態（遮断状態）とされる。
【００４８】
図５では、ハイレベルの電圧信号Ｓ１が入力されると、マイコン１４が直ちにＳＷ制御信号Ｓ４をハイレベルに切り替えるのではなく、遅延期間を設けてハイレベルに切り替える。なお、ハイレベルからローレベルへの切り替えは、電圧信号Ｓ１のハイレベルからローレベルへの切り替えに対応している。したがって、マイコン１４の通常処理及び異常検出処理の停止期間は、低電圧期間よりも短い期間となる。
【００４９】
次に、本実施形態に係る電子制御装置１０の効果について説明する。
【００５０】
コンデンサ１８の容量や、外部装置５２の消費電流によっては、低電圧期間となってもすぐにリセット信号Ｓ２がハイレベルとならないことも考えられる。このような場合、本実施形態の構成によれば、遅延期間を設けてＳＷ制御信号Ｓ４を切り替える。したがって、マイコン１４の通常処理及び異常検出処理の停止期間を第１実施形態に記載の構成よりも短くすることもできる。この場合、マイコン１４が通常処理を実行する期間をさらに長くとることができる。
【００５１】
（第３実施形態）
本実施形態において、上記実施形態に示した電子制御装置１０と共通する部分についての説明は割愛する。
【００５２】
上記実施形態では、１つの外部装置５２に対して、電子制御装置１０から内部電圧ＶＩＮを供給する例を示した。これに対し、本実施形態では、図６に示すように、複数の外部装置５２に対して、電子制御装置１０から内部電圧ＶＩＮを供給するようになっている。
【００５３】
図６に示す例では、外部装置５２が、２つの外部装置５２ａ，５２ｂを有している。なお、図６において、符号３０ａは外部装置５２ａからの入力端子、符号３０ｂは外部装置５２ｂからの入力端子、符号３２ａは外部装置５２ａへの出力端子、符号３２ｂは外部装置５２ｂへの出力端子を示している。また、符号Ｓ３ａは外部装置５２ａからの出力信号、符号Ｓ３ｂは外部装置５２ｂからの出力信号、符号ＶＯＵＴａは外部装置５２ａへの出力電圧、符号ＶＯＵＴｂは外部装置５２ｂへの出力電圧を示している。
【００５４】
図６に示すように、第２接続線２４は分岐され、スイッチ２６と出力端子３２ａ，３２ｂが、第２接続線２４によりそれぞれ接続されている。それ以外の構成は、第１実施形態と同じである。
【００５５】
このように、複数の外部装置に対して、内部電圧ＶＩＮを供給する構成では、外部装置による消費電流が大きくなり、マイコンがリセットされやすくなる。しかしながら、本実施形態によれば、第１実施形態に示したように、昇圧回路を用いなくとも、低電圧期間においてマイコン１４がリセットされるのを抑制することができる。また、マイコン１４が通常処理を実行する期間を長くとることができる。
【００５６】
なお、本実施形態では、複数の外部装置５２を第１実施形態と組み合わせる例を示したが、第２実施形態と組み合わせてもよい。
【００５７】
以上、本発明の好ましい実施形態について説明したが、本発明は上記実施形態になんら制限されることなく、本発明の主旨を逸脱しない範囲において、種々変形して実施することが可能である。
【００５８】
上記実施形態では、電子制御装置１０が電源回路１２を有し、外部電源であるバッテリ５０から供給されたバッテリ電圧ＶＢを降圧して内部電圧ＶＩＮを生成し、この内部電圧ＶＩＮをマイコン１４及び外部装置５２に供給する構成の例を示した。しかしながら、マイコン１４が動作する電圧が外部電源から供給される構成、すなわち、内部電源（電源回路１２）を必要としない構成にも適用することができる。この場合、外部電源から供給される第２電圧とマイコン１４が動作するための第１電圧とが一致することとなる。
【符号の説明】
【００５９】
１０，１１０・・・電子制御装置、１２，１１２・・・電源回路、１４，１１４・・・マイコン、１６，１１６・・・第１接続線、１８，１１８・・・コンデンサ、２０，１２０・・・リセット回路、２２，１２２・・・電圧検出回路、２４，１２４・・・第２接続線、２６・・・スイッチ、２８，１２８・・・電源端子、３０，３０ａ，３０ｂ，１３０・・・入力端子、３２，３２ａ，３２ｂ，１３２・・・出力端子、５０，１５０・・・バッテリ、５２，５２ａ，５２ｂ，１５２・・・外部装置、１４０・・・昇圧回路、Ｓ１・・・電圧信号、Ｓ２・・・リセット信号、Ｓ３，Ｓ３ａ，Ｓ３ｂ・・・出力信号、Ｓ４・・・ＳＷ制御信号、ＶＢ・・・バッテリ電圧、ＶＩＮ・・・内部電圧、ＶＯＵＴ，ＶＯＵＴａ，ＶＯＵＴｂ・・・出力電圧
【図１】
2015201761.tif 000003
【図２】
2015201761.tif 000004
【図３】
2015201761.tif 000005
【図４】
2015201761.tif 000006
【図５】
2015201761.tif 000007
【図６】
2015201761.tif 000008
【図７】
2015201761.tif 000009
【図８】
2015201761.tif 000010